(57)【特許請求の範囲】
【請求項１】
第１内面を有した筐体と、
前記第１内面に面して前記筐体に収容されたケーブルと、
前記第１内面と交差する方向に延び前記ケーブルの外周部に面した支持部と、
前記第１内面に固定された第１部分と、前記第１部分と接続され、前記第１部分に対して弾性的に折り曲げられ、前記ケーブルを前記支持部に向けて押した第２部分と、を有したシートと、
前記第１内面と前記支持部とに面して前記筐体に収容された電子部品と、
を備え、
前記ケーブルは、前記支持部と前記電子部品との間に位置し、
前記第１部分は、前記電子部品と前記第１内面との間に位置し、
前記第２部分は、前記第１部分から離れるにつれて前記電子部品から離れるように前記第１部分に対して傾斜した、電子機器。
【請求項２】
前記第１部分は、前記第１内面に接着された、請求項１に記載の電子機器。
【請求項３】
前記シートは、
第１端部と、
前記第１端部の反対側の第２端部と、
を有し、
前記第１部分は、前記第１端部を有し、
前記第２部分は、前記第１部分における前記第１端部とは反対側で前記第１部分と接続され、前記第２端部と、前記第１端部から前記第２端部に向かう前記シートの延び方向で前記第１部分と前記第２端部との間に位置し、前記延び方向で隣接する部分よりも折り曲がりやすい第３部分と、を有した、請求項１または２に記載の電子機器。
【請求項４】
前記第３部分には、開口部が設けられた、請求項３に記載の電子機器。
【請求項５】
前記第２部分は、当該第２部分における前記第１部分とは反対側の端部に湾曲状の角部を有した、請求項１〜４のうちいずれか一つに記載の電子機器。
【請求項６】
前記支持部は、前記筐体に設けられ前記第１内面から延びた壁である、請求項１〜５のうちいずれか一つに記載の電子機器。
【請求項７】
前記第２部分は、前記第１部分が前記第１内面に固定され当該第２部分が前記第１部分に対して折り曲げられていない場合に、前記壁に突き当たる、請求項６に記載の電子機器。
【発明の詳細な説明】
【技術分野】
【０００１】
本発明は、電子機器に関する。
【背景技術】
【０００２】
従来、筐体の内部にケーブルが収容された電子機器が知られている。
【先行技術文献】
【特許文献】
【０００３】
【特許文献１】特許第５４０４８８２号公報
【発明の概要】
【発明が解決しようとする課題】
【０００４】
この種の電子機器では、例えば、ケーブルを位置決めするための構成として、筐体にリブを設ける場合には、筐体が複雑化しやすい。
【０００５】
そこで、本発明の課題の一つは、筐体内のケーブルを位置決めすることができるとともに、筐体の複雑化を抑制しやすい新規な構成の電子機器を得ることである。
【課題を解決するための手段】
【０００６】
本発明の第１態様にかかる電子機器は、第１内面を有した筐体と、前記第１内面に面して前記筐体に収容されたケーブルと、前記第１内面と交差する方向に延び前記ケーブルの外周部に面した支持部と、前記第１内面に固定された第１部分と、前記第１部分と接続され、前記第１部分に対して弾性的に折り曲げられ、前記ケーブルを前記支持部に向けて押した第２部分と、を有したシートと、前記第１内面と前記支持部とに面して前記筐体に収容された電子部品と、を備え、前記ケーブルは、前記支持部と前記電子部品との間に位置し、前記第１部分は、前記電子部品と前記第１内面との間に位置し、前記第２部分は、前記第１部分から離れるにつれて前記電子部品から離れるように前記第１部分に対して傾斜している。
【０００７】
前記電子機器では、例えば、前記第１部分は、前記第１内面に接着されている。
【０００８】
前記電子機器では、例えば、前記シートは、第１端部と、前記第１端部の反対側の第２端部と、を有し、前記第１部分は、前記第１端部を有し、前記第２部分は、前記第１部分における前記第１端部とは反対側で前記第１部分と接続され、前記第２端部と、前記第１端部から前記第２端部に向かう前記シートの延び方向で前記第１部分と前記第２端部との間に位置し、前記延び方向で隣接する部分よりも折り曲がりやすい第３部分と、を有する。
【０００９】
前記電子機器では、例えば、前記第３部分には、開口部が設けられている。
【００１０】
前記電子機器では、例えば、前記第２部分は、当該第２部分における前記第１部分とは反対側の端部に湾曲状の角部を有する。
【００１１】
前記電子機器では、例えば、前記支持部は、前記筐体に設けられ前記第１内面から延びた壁である。
【００１２】
前記電子機器では、例えば、前記第２部分は、前記第１部分が前記第１内面に固定され当該第２部分が前記第１部分に対して折り曲げられていない場合に、前記壁に突き当たる。
【発明の効果】
【００１５】
本発明の上記態様によれば、筐体内のケーブルを位置決めすることができるとともに、筐体の複雑化を抑制しやすい新規な構成の電子機器を得ることができる。
【図面の簡単な説明】
【００１６】
【図１】図１は、実施形態の電子機器の正面側からの例示的な斜視図であって、ディスプレイ筐体が開位置に位置された状態の図である。
【図２】図２は、実施形態の電子機器のディスプレイ筐体の内部を例示的に示す正面図である。
【図３】図３は、実施形態の電子機器のディスプレイ筐体の内部の一部を例示的に示す斜視図である。
【図４】図４は、図３の一部の拡大図であって、ディスプレイユニットが取り外された状態の図である。
【図５】図５は、実施形態の電子機器のディスプレイ筐体の内部を例示的に示す断面図であって、図２のV-V線に沿った断面をフロントカバーの断面とともに示す図である。
【図６】図６は、実施形態のシートの展開状態を例示的に示す平面図である。
【図７】図７は、実施形態のシートの例示的な斜視図である。
【図８】図８は、実施形態の電子機器の組立工程を例示的に示す図である。
【図９】図９は、実施形態の電子機器の組立工程を例示的に示す図である
【図１０】図１０は、実施形態の変形例のシートの展開状態を例示的に示す平面図である。
【図１１】図１１は、実施形態の変形例のディスプレイ筐体の内部を例示的に示す断面図である。
【発明を実施するための形態】
【００１７】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１８】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１９】
［実施形態］
図１は、電子機器１の正面側からの斜視図であって、ディスプレイ筐体３が開位置に位置された状態の図である。図２は、実施形態の電子機器１のディスプレイ筐体３の内部を例示的に示す正面図である。
【００２０】
図１に示されるように、電子機器１は、例えば、クラムシェル型（ノートブック型）のパーソナルコンピュータとして構成されており、ベース筐体２と、ディスプレイ筐体３と、を備えている。ベース筐体２には、キーボード４（入力装置）や、不図示の基板等が収容されている。図１，２に示されるように、ディスプレイ筐体３には、アンテナユニット５や、ディスプレイユニット６、ケーブル４０、後述するシート５０（図４参照）等が収容されている。ディスプレイ筐体３は、筐体の一例である。なお、電子機器１は、この例には限定されず、例えば、デスクトップ型のパーソナルコンピュータや、映像表示装置、テレビジョン受像機、ゲーム機、映像表示制御装置、情報記憶装置等であってもよい。ディスプレイユニット６は、電子部品の一例である。
【００２１】
以下の説明では、便宜上、互いに直交する三方向が定義されている。Ｘ方向は、ベース筐体２の奥行（前後方向）に沿い、Ｙ方向は、ベース筐体２の幅（左右方向、長手方向）に沿い、Ｚ方向は、ベース筐体２の厚さ（上下方向）に沿う。また、以下の説明では、Ｘ方向は後方、Ｘ方向の反対方向は前方とも称され、Ｙ方向は左方、Ｙ方向の反対方向は右方とも称され、Ｚ方向は上方、Ｚ方向の反対方向は下方とも称される場合がある。
【００２２】
図１に示されるように、ベース筐体２は、例えば、キーボード４が露出する上面２ａ１と、上面２ａ１とは反対側を向いた下面２ｂ１と、を有する。キーボード４は、上方から操作可能な状態に、ベース筐体２に支持されている。また、ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００２３】
ディスプレイ筐体３は、例えば、ディスプレイユニット６の表示画面６ａが露出する前面３ａ１と、前面３ａ１とは反対側を向いた後面３ｂ１と、を有する。ディスプレイユニット６は、表示画面６ａが前方から視認可能な状態に、ディスプレイ筐体３に支持されている。また、前面３ａ１の一部および表示画面６ａは、タッチパネル９の透明部によって覆われている。なお、本実施形態では、ディスプレイ筐体３にタッチパネル９が設けられている場合が例示されるが、この例には限定されず、例えば、タッチパネル９は無くてもよい。
【００２４】
ディスプレイ筐体３は、ベース筐体２にＹ方向に沿って延びる二つの回転中心Ａｘ１，（回転軸）を有したヒンジ７を介して回転可能に支持されている。ディスプレイ筐体３は、ヒンジ７の回転中心Ａｘ１回りに回転することで、少なくとも開位置（図１）と閉位置との間で移動可能である。
【００２５】
ディスプレイ筐体３が開位置に位置された状態では、上面２ａ１およびキーボード４と、前面３ａ１および表示画面６ａとが対向せず、上面２ａ１、キーボード４、前面３ａ１、および表示画面６ａが露出する。一方、ディスプレイ筐体３が閉位置に位置された状態では、ベース筐体２の上面２ａ１およびキーボード４と、ディスプレイ筐体３の前面３ａ１およびディスプレイユニット６の表示画面６ａとが対向する。よって、閉位置では、キーボード４やタッチパネル９等は、ベース筐体２およびディスプレイ筐体３によって隠れるため、操作不能である。閉位置は、初期位置や、第１折り畳み位置等とも称される。
【００２６】
図１，２に示されるように、ディスプレイ筐体３は、例えば、一方向（図１ではＺ方向）に扁平な直方体状に構成されている。ディスプレイ筐体３は、前壁３ａや、後壁３ｂ、複数の側壁３ｃ〜３ｆ等を有している。前壁３ａは、前面３ａ１を含み、後壁３ｂは、後面３ｂ１を含む。前壁３ａは、四角形状の枠状に構成され、後壁３ｂは、四角形状の板状に構成されている。なお、以下の説明では、特に言及しない限り、ディスプレイ筐体３の姿勢は、前面３ａ１（表示画面６ａ）がＸ方向の反対方向を向いた姿勢である。
【００２７】
側壁３ｃおよび側壁３ｅは、それぞれ、ディスプレイ筐体３の下端部３ｈおよび上端部３ｊを構成している。下端部３ｈは、ヒンジ７の回転中心Ａｘ１と隣接（近接）している。上端部３ｊは、下端部３ｈよりもヒンジ７の回転中心Ａｘ１と離間している。また、側壁３ｄおよび側壁３ｆは、それぞれ、ディスプレイ筐体３の左端部３ｉおよび右端部３ｋを構成している。側壁３ｃには、ヒンジ７の一部を収容した凹状壁３ｃａが設けられている。凹状壁３ｃａは、後壁３ｂの内面３ｂａからＸ方向の反対方向に延びている。内面３ｂａは、第１内面の一例である。
【００２８】
図３は、実施形態の電子機器のディスプレイ筐体３の内部の一部を例示的に示す斜視図である。図３に示されるように、凹状壁３ｃａは、壁３ｃａ１〜壁３ｃａ３を有する。壁３ｃａ１および壁３ｃａ３は、いずれも、Ｙ方向と直交する方向（ＸＺ平面）に沿って延びており、Ｙ方向に間隔をあけて互いに平行に設けられている。壁３ｃａ２は、Ｘ方向と直交する方向（ＹＺ平面）に沿って延びており、壁３ｃａ１および壁３ｃａ３のそれぞれの上端部を接続している。また、壁３ｃａ２の内面３ｃａ４は、ディスプレイユニット６の下端部６ｃの下方（Ｚ方向の反対方向）に位置されている。すなわち、ディスプレイユニット６は、内面３ｂａと壁３ｃａ２とに面してディスプレイ筐体３に収容されている。壁３ｃａ２は、支持部の一例である。
【００２９】
また、ディスプレイ筐体３には、四つの角部３ｍ〜３ｐが設けられている。角部３ｍは、左端部３ｉと上端部３ｊとの交差部によって構成され、角部３ｎは、上端部３ｊと右端部３ｋとの交差部によって構成されている。また、角部３ｏは、右端部３ｋと下端部３ｈとの交差部によって構成され、角部３ｐは、下端部３ｈと左端部３ｉとの交差部によって構成されている。各角部３ｍ〜３ｐは、角丸（角Ｒ）状に構成されている。
【００３０】
また、ディスプレイ筐体３は、複数の部品（分割体）が組み合わせられて構成されている。具体的には、ディスプレイ筐体３は、例えば、フロントカバー３１と、リヤカバー３２と、を有している。フロントカバー３１は、前壁３ａと、側壁３ｃ〜３ｆのそれぞれの一部と、を含む。リヤカバー３２は、後壁３ｂと、側壁３ｃ〜３ｆのそれぞれの一部と、を含む。フロントカバー３１とリヤカバー３２とは、爪やネジ等によって互いに結合されている。
【００３１】
図１に示されるように、ベース筐体２は、例えば、Ｚ方向に扁平な直方体状の箱型に構成されている。ベース筐体２は、上壁２ａや、下壁２ｂ、前壁２ｃ、左壁２ｄ、後壁２ｅ、右壁２ｆ等の複数の壁部を有している。前壁２ｃ、左壁２ｄ、後壁２ｅ、および右壁２ｆは、側壁や、周壁、立壁等とも称される。
【００３２】
図１，２に示されるように、アンテナユニット５は、例えば、ディスプレイ筐体３の上端部３ｊ側の左右に設けられている。各アンテナユニット５は、それぞれ二つのケーブル４０を介して、ベース筐体２に収容された基板の通信チップと電気的に接続されている。アンテナユニット５は、ダイバーシティアンテナの一例である。本実施形態によれば、複数のアンテナユニット５で受信した同一の無線信号について、電波状況の優れたアンテナユニット５の信号を優先的に用いたり、受信した信号を合成してノイズを除去したりすることによって、通信の質や信頼性の向上を図ることができる。なお、アンテナユニット５は、この例には限定されず、例えば、上端部３ｊ側の中央部や、左右の一方のみに設けられてもよい。
【００３３】
ケーブル４０は、ディスプレイユニット６とディスプレイ筐体３の側壁３ｃ〜３ｆとの間に位置されている。ケーブル４０は、絶縁部４１と絶縁部に覆われた伝達線（不図示）とを有している。伝達線は、信号を伝達する。なお、伝達線は、電力を伝達してもよい。ケーブル４０は、凹状壁３ｃａの壁３ｃａ１に設けられた開口部３ｃａ５（図９参照）からディスプレイ筐体３の外部へ延びている。図３に示されるように、ケーブル４０は、ディスプレイユニット６の下端部６ｃと凹状壁３ｃａの壁３ｃａ２との間に位置され、Ｙ方向に延びる直線状部４０ａと、直線状部４０ａから壁３ｃａ１の開口部３ｃａ５に向って延びた湾曲部４０ｂと、を有している。
【００３４】
図４は、図３の一部の拡大図であって、ディスプレイユニット６が取り外された状態の図である。図５は、実施形態の電子機器１のディスプレイ筐体の内部を例示的に示す断面図であって、図２のV-V線に沿った断面をフロントカバー３１の断面とともに示す図である。
【００３５】
図３〜５に示されるように、二つのケーブル４０の直線状部４０ａは、シート５０によって、凹状壁３ｃａの壁３ｃａ２に向けて押されている。これにより、二つのケーブル４０の直線状部４０ａが壁３ｃａ２とシート５０とによって挟まれて位置決めされている。これにより、ケーブル４０の浮き上がりが抑制されている。このとき、壁３ｃａ２とシート５０とは、ケーブル４０の外周部４０ｃに面している（接触している）。
【００３６】
次に、シート５０について詳細に説明する。図６は、実施形態のシート５０の展開状態を例示的に示す平面図である。図７は、実施形態のシート５０の例示的な斜視図である。
【００３７】
図６〜７に示されるように、シート５０は、第１端部５０ａと、第２端部５０ｂと、左端部５０ｍと、右端部５０ｎと、を有する。第１端部５０ａは、Ｚ方向の端部である。第２端部５０ｂは、第１端部５０ａの反対側の端部である。左端部５０ｍは、Ｙ方向の端部である。右端部５０ｎは、左端部５０ｍの反対側の端部である。シート５０は、押さえ部材とも称される。
【００３８】
また、シート５０は、四つの角部５０ｊａ〜５０ｊｄを有する。角部５０ｊａは、第１端部５０ａと左端部５０ｍとの交差部によって構成され、角部５０ｊｂは、第１端部５０ａと右端部５０ｎとの交差部によって構成されている。また、角部５０ｊｃは、第２端部５０ｂと右端部５０ｎとの交差部によって構成され、角部５０ｊｄは、第２端部５０ｂと左端部５０ｍとの交差部によって構成されている。角部５０ｊｃ，５０ｊｄは、第２部分５０ｆにおける第１部分５０ｅとは反対側の端部、すなわち第２端部５０ｂに設けられた角部である。各角部５０ｊａ〜５０ｊｄは、直角状に構成されている。
【００３９】
また、シート５０は、第１面５０ｃと、第１面５０ｃの反対側の第２面５０ｄと、を有する。第１面５０ｃおよび第２面５０ｄは、第１端部５０ａと第２端部５０ｂとに亘っているとともに、左端部５０ｍと右端部５０ｎとに亘っている。
【００４０】
また、シート５０は、第１部分５０ｅと、第２部分５０ｆと、を有する。第１部分５０ｅは、第１端部５０ａと、左端部５０ｍの一部と、右端部５０ｎの一部と、第１面５０ｃの一部と、第２面５０ｄの一部と、を有する。また、第１部分５０ｅは、接着可能な接着面５０ｃａを有する。接着面５０ｃａは、第１面５０ｃの一部を構成する。第２部分５０ｆは、第２端部５０ｂと、左端部５０ｍの一部と、右端部５０ｎの一部と、第１面５０ｃの一部と、第２面５０ｄの一部と、を有する。
【００４１】
第２部分５０ｆは、第１部分５０ｅにおける第１端部５０ａとは反対側で第１部分５０ｅと接続されている。第１部分５０ｅと第２部分５０ｆとの接続部５０ｇは、Ｙ方向に延びている。接続部５０ｇは、第１部分５０ｅにおける第１端部５０ａの反対側の端部と第２部分５０ｆにおける第２端部５０ｂの反対側の端部との接続部である。第２部分５０ｆは、第１部分５０ｅに対して弾性的に折り曲げられている。すなわち、第２部分５０ｆは、第１部分５０ｅに対して弾性的に折り曲げ可能である。
【００４２】
また、第２部分５０ｆは、複数の開口部５０ｉが設けられた第３部分５０ｈを有する。第３部分５０ｈは、第１端部５０ａから第２端部５０ｂに向かうシート５０の延び方向Ｄ１で第１部分５０ｅと第２端部５０ｂとの間に位置されている。複数の開口部５０ｉは、第１端部５０ａから第２端部５０ｂに向かうシート５０の延び方向Ｄ１およびシート５０の厚さ方向と直交する方向（シート５０の幅方向）に互いに間隔を空けて並べられている。換言すると、複数の開口部５０ｉは、ミシン目状に設けられている。開口部５０ｉは、第３部分５０ｈをシート５０の厚さ方向に貫通した貫通孔である。なお、開口部５０ｉは、貫通孔ではなく凹部であってもよい。第３部分５０ｈは、第２部分５０ｆにおいて、隣り合う開口部５０ｉ間の部分を含むＹ方向に延びた部分である。すなわち、第３部分５０ｈは、第１端部５０ａから第２端部５０ｂに向かうシート５０の延び方向Ｄ１と直交する断面が、延び方向Ｄ１で隣接する他の部分よりも小さい部分により構成されている。このような形状の第３部分５０ｈは、延び方向Ｄ１で隣接する部分よりも折り曲がりやすい。第３部分５０ｈは、折り曲げの頂部を構成する。第３部分５０ｈは、折り曲げ容易部や小断面部とも称される。開口部５０ｉは、切り込みとも称される。
【００４３】
また、シート５０は、複数の部材の組み合わせによって構成されている。一例として、シート５０は、シート本体５１（ベース）と、両面接着テープ５２と、を有する。シート本体５１は、第１端部５０ａの一部と、第２端部５０ｂと、左端部５０ｍと、右端部５０ｎと、第１面５０ｃと、第２面５０ｄの一部と、第１部分５０ｅの一部と、第２部分５０ｆと、を有する。シート本体５１は、例えば合成樹脂材料等によって構成され、弾性を有する。両面接着テープ５２は、第１端部５０ａの一部と、左端部５０ｍと、右端部５０ｎと、接着面５０ｃａと、第１部分５０ｅの一部と、を有し、第２部分５０ｆを有さない。なお、図５では、理解のために、両面接着テープ５２の厚さが誇張されて示されている。また、シート５０は、シート本体５１だけによって構成されていてもよい。
【００４４】
このような構成のシート５０は、図５に示されるように、第１部分５０ｅが接着面５０ｃａによって内面３ｂａに固定された状態で、第２部分５０ｆが、第１部分５０ｅに対して弾性的に折り曲げられている。第２部分５０ｆは、折り曲げられることにより弾性力（復元力）を生じ、当該弾性力によって、ケーブル４０を壁３ｃａ２に向けて押している。これにより、シート５０は、壁３ｃａ２の内面３ｃａ４とによってケーブル４０を挟持している。このとき、第１部分５０ｅは、ディスプレイユニット６と内面３ｂａとの間に位置し、第２部分５０ｆは、第１部分５０ｅから離れるにつれてディスプレイユニット６から離れるように第１部分５０ｅに対して傾斜している。
【００４５】
次に、ディスプレイ筐体３に対するシート５０の取り付け方法を説明する。図８，９は、実施形態の電子機器１の組立工程を例示的に示す図である。ここで、図８に示されるように、後壁３ｂの内面３ｂａにシート５０の第１部分５０ｅが固定されシート５０の第２部分５０ｆが第１部分５０ｅに対して折り曲げられていない状態において第２部分５０ｆがディスプレイ筐体３の壁３ｃａ２に突き当たるように、シート５０の第２部分５０ｆの長さが設定されている。
【００４６】
作業者は、ディスプレイユニット６およびケーブル４０の組み付けの前に、展開状態のシート５０の第２端部５０ｂを壁３ｃａ２の内面３ｃａ４に突き当てる。次に、作業者、シート５０の第１面５０ｃを後壁３ｂの内面３ｂａに重ねて、第１部分５０ｅを内面３ｂａに向けて押す。これにより、シート５０の接着面５０ｃａが後壁３ｂの内面３ｂａに接着される。作業者は、ケーブル４０を配索する際には、取り付けたシート５０の第２端部５０ｂや角部５０ｊｂ、角部５０ｊｃを指で引き上げて、第２部分５０ｆを第１部分５０ｅに対して折り曲げる。これにより、第２部分５０ｆと壁３ｃａ２との間にケーブル４０を入れることができる。その後、作業者は、ケーブル４０およびディスプレイユニット６を組み付ける。作業者は、一例として、ケーブル４０を組み付けた後にディスプレイユニット６を組み付ける。なお、作業者は、別例として、ディスプレイユニット６を組み付けた後にケーブル４０を組み付けてもよい。
【００４７】
以上のように、電子機器１は、ディスプレイ筐体３（筐体）と、壁３ｃａ２（支持部）と、シート５０と、を備える。ディスプレイ筐体３は、内面３ｂａ（第１内面）を有する。ケーブル４０は、内面３ｂａに面してディスプレイ筐体３に収容されている。壁３ｃａ２は、内面３ｂａと交差する方向に延びケーブル４０の外周部４０ｃに面している。シート５０は、内面３ｂａに固定された第１部分５０ｅと、第１部分５０ｅと接続され、第１部分５０ｅに対して弾性的に折り曲げられ、ケーブル４０を壁３ｃａ２に向けて押している。
【００４８】
このような構成によれば、シート５０によってディスプレイ筐体３内のケーブル４０の位置を決めることができる。また、このような構成によれば、例えばディスプレイ筐体３内のケーブル４０を位置決めするたにディスプレイ筐体３にリブを一体に設ける構成に比べて、ディスプレイ筐体３の複雑化や大型化を抑制しやすい。
【００４９】
また、電子機器１では、例えば、第１部分５０ｅは、内面３ｂａに接着されている。
【００５０】
このような構成によれば、例えば第１部分５０ｅをネジ止めによって内面３ｂａに固定する構成に比べて、ディスプレイ筐体３に負荷が掛かりにくい。また、このような構成によれば、ディスプレイ筐体３の複雑化や大型化を抑制しやすい。
【００５１】
また、電子機器１では、例えば、シート５０は、第１端部５０ａと、第１端部５０ａの反対側の第２端部５０ｂと、を有する。第１部分５０ｅは、第１端部５０ａを有し、第２部分５０ｆは、第１部分５０ｅにおける第１端部５０ａとは反対側で第１部分５０ｅと接続され、第２端部５０ｂと、第１端部５０ａから第２端部５０ｂに向かうシート５０の延び方向Ｄ１で第１部分５０ｅと第２端部５０ｂとの間に位置し、延び方向Ｄ１で隣接する部分よりも折り曲がりやすい第３部分５０ｈと、を有する。
【００５２】
このような構成によれば、例えば、第３部分５０ｈを折り曲げの中心としてシート５０が折り曲がりやすい。
【００５３】
また、電子機器１では、例えば、第３部分５０ｈには、開口部５０ｉが設けられている。
【００５４】
このような構成によれ、例えば、第３部分５０ｈを比較的容易に作りやすい。
【００５５】
また、電子機器１では、例えば、支持部は、ディスプレイ筐体３に設けられ内面３ｂａから延びた壁３ｃａ２である。
【００５６】
このような構成によれば、例えば、ケーブル４０の位置決め精度を高くしやすい。なお、支持部は、ディスプレイ筐体３に収容される電子部品等の部品であってもよい。
【００５７】
また、電子機器１では、例えば、第２部分５０ｆは、第１部分５０ｅが内面３ｂａに固定され当該第２部分５０ｆが第１部分５０ｅに対して折り曲げられていない場合に、壁３ｃａ２に突き当たる。
【００５８】
このような構成によれば、作業者が内面３ｂａに対してシート５０を設置しやすい。
【００５９】
また、電子機器１は、例えば、内面３ｂａと壁３ｃａ２とに面してディスプレイ筐体３に収容されたディスプレイユニット６（電子部品）を備える。ケーブル４０は、壁３ｃａ２とディスプレイユニット６との間に位置する。第１部分５０ｅは、ディスプレイユニット６と内面３ｂａとの間に位置し、第２部分５０ｆは、第１部分５０ｅから離れるにつれてディスプレイユニット６から離れるように第１部分５０ｅに対して傾斜している。
【００６０】
このような構成によれば、例えば、シート５０によってケーブル４０をディスプレイユニット６から離間する方向に押圧することができる。よって、ディスプレイユニット６の組み付け時にケーブル４０が邪魔になることを抑制することができる。
【００６１】
［変形例］
次に、実施形態の変形例のシート５０Ａを説明する。図１０は、実施形態の変形例のシート５０Ａの展開状態を例示的に示す平面図である。図１１は、実施形態の変形例のディスプレイ筐体３の内部を例示的に示す断面図である。
【００６２】
図１０，１１に示されるように、変形例では、シート５０Ａが、角部５０ｊｃ，５０ｊｄが、湾曲状である点と、第１部分５０ｅに切り欠き５０ｋが設けられ第１部分５０ｅがＬ字状に形成されている点とで、シート５０に対して異なる。また、変形例では、ケーブルが１本である。
【００６３】
このような構成によれば、例えば、第２部分５０ｆが湾曲状の角部５０ｊを有するので、作業者が角部５０ｊをめくりやすい。
【００６４】
なお、上記実施形態および変形例では、シート５０Ａが接着によって内面３ｂａに固定された例が示されたが、これに限定されない。例えば、シート５０Ａは、溶着等によって内面３ｂａに固定されていてもよい。
【００６５】
また、本実施形態および変形例では、シート５０Ａが押さえるケーブルとして、アンテナユニット５（電子部品）に接続されたケーブル４０の例が示されたたが、これに限定されない。シート５０Ａが押さえるケーブルは、他の電子部品に接続されたものであってもよい。
【００６６】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６７】
１…電子機器、３…ディスプレイ筐体（筐体）、３ｂａ…内面（第１内面）、３ｃａ２…壁（支持部）、６…ディスプレイユニット（電子部品）、４０…ケーブル、５０Ａ…シート、５０ａ…第１端部、５０ｂ…第２端部、５０ｅ…第１部分、５０ｆ…第２部分、５０ｇ…端部、５０ｈ…第３部分、５０ｉ…開口部、５０ｊｃ，５０ｊｄ…角部、Ｄ１…延び方向。
【要約】
【課題】筐体内のケーブルを位置決めすることができるとともに、筐体の複雑化を抑制しやすい新規な構成の電子機器およびシートを得る。
【解決手段】電子機器は、第１内面を有した筐体と、前記第１内面に面して前記筐体に収容されたケーブルと、前記第１内面と交差する方向に延び前記ケーブルの外周部に面した支持部と、前記第１内面に固定された第１部分と、前記第１部分と接続され、前記第１部分に対して弾性的に折り曲げられ、前記ケーブルを前記支持部に向けて押した第２部分と、を有したシートと、を備える。
【選択図】図５【図１】
0006721853.tif 000002
【図２】
0006721853.tif 000003
【図３】
0006721853.tif 000004
【図４】
0006721853.tif 000005
【図５】
0006721853.tif 000006
【図６】
0006721853.tif 000007
【図７】
0006721853.tif 000008
【図８】
0006721853.tif 000009
【図９】
0006721853.tif 000010
【図１０】
0006721853.tif 000011
【図１１】
0006721853.tif 000012